(57)【要約】  本発明は、フレーム、特に、壁フレームであって、モジュラ構造のためのモジュールの基本フレームワークを好ましくは自己支持することを意図し、かつ２つの支柱プロファイルを備え、支柱プロファイルが本質的に垂直に配置され得、支柱プロファイルの上端が天井プロファイルを介して互いに接続され得、支柱プロファイルの下端が床プロファイルを介して互いに接続され得る、フレームに関する。本発明はまた、基本フレームワーク、モジュール、プロファイル、およびモジュラ構造のための建造物要素のセット、ならびにモジュラ構造建物にも関する。
2020535331.tif 000002
【特許請求の範囲】
【請求項１】
フレーム、特に、壁フレームであって、モジュラ構造のためのモジュールの基本フレームワークを好ましくは支持する、優先的には自己支持することを意図し、かつ２つの支柱プロファイルを備え、前記支柱プロファイルが本質的に垂直に配置され得るか、または本質的に垂直に配置され、前記支柱プロファイルの上端が、天井プロファイルを介して互いに接続され得るか、または接続され、前記支柱プロファイルの下端が、床プロファイルを介して互いに接続され得るか、または接続され、
前記支柱プロファイル（２）、前記天井プロファイル（３）、および前記床プロファイル（４）が各々、異なるように構成された断面プロファイルを有することを特徴とする、フレーム。
【請求項２】
前記断面プロファイルの各々が、本質的に、または特定の領域において、中空プロファイルの形態で設計されている、請求項１に記載のフレーム。
【請求項３】
前記断面プロファイルの各々が、本質的に、金属シートが形成作業に供されることによって形成されている、請求項２に記載のフレーム。
【請求項４】
前記支柱プロファイル（２）が、互いに角度をなす２つの天井プロファイル（３）および／または床プロファイル（４）の接続を可能にするためにコーナプロファイルの形態で設計されている、請求項１〜３のうちの一項に記載のフレーム。
【請求項５】
前記支柱プロファイル（２）が、少なくとも１つのスロットガイド（２６）を有し、前記少なくとも１つのスロットガイド（２６）が、前記支柱プロファイル（２）の長手方向の少なくとも一部分にわたって延在し、前記少なくとも１つのスロットガイド（２６）内に、天井プロファイル（３）および／または床プロファイル（４）の接続のための少なくとも１つの接続要素（５）が挿入および保持される、請求項１〜４のうちの一項に記載のフレーム。
【請求項６】
前記少なくとも１つのスロットガイド（２６）が、前記支柱プロファイル（２）の前記断面プロファイルに組み込まれている、請求項５に記載のフレーム。
【請求項７】
前記支柱プロファイル（２）の前記断面プロファイルが、互いに角度をなして配向された開口方向を有する少なくとも２つのスロットガイド（２６）を有する、請求項４および６に記載のフレーム。
【請求項８】
前記支柱プロファイル（２）の前記断面プロファイルが、少なくとも１つの断面平面において、本質的に、矩形の、好ましくは本質的に正方形の輪郭を有し、前記断面平面の隣接する側面の輪郭のうちの２つに存在する凹部が、それぞれのスロットガイド（２６）の断面を形成する、請求項７に記載のフレーム。
【請求項９】
前記スロットガイド（２６）の断面が、ダブテール形状である、請求項５〜８のうちの一項に記載のフレーム。
【請求項１０】
前記接続要素（５）が形状適合方式で締結される、特に掛止されるように、前記スロットガイド（２６）が準備される、請求項５〜９のうちの一項に記載のフレーム。
【請求項１１】
好ましくは前記、好ましくは各接続要素（５）が、本質的に垂直に配置される接続プレートの形態で本質的に設計されている、請求項５〜１０のうちの一項に記載のフレーム。
【請求項１２】
前記天井プロファイル（３）および前記床プロファイル（４）が各々、本質的に二重Ｔ字形状の断面プロファイルを有し、前記二重Ｔ字形状の断面プロファイルの横材（１２、１９）が、本質的に垂直な配置のために提供され、前記横材（１２、１９）の頂部および底部に存在する横方向端部が、前記二重Ｔ字形状を形成するために、厚くなったヘッド部分（１０、１７）および／または厚くなったフット部分（１１、１８）の形態で設計されており、前記床プロファイル（４）の前記断面プロファイルにおける厚くなったフット部分（１１、１８）が、好ましくは、前記天井プロファイル（３）の前記厚くなったフットの垂直範囲よりも大きい垂直範囲を有する、請求項１〜１１のうちの一項に記載のフレーム。
【請求項１３】
前記床プロファイル（４）の前記厚くなったヘッド部分（１７）と前記厚くなったフット部分（１８）とが、ほぼ等しいサイズであり、好ましくは前記厚くなったフット部分（１８）が、幾分より広範であるように設計されている、請求項１２に記載のフレーム。
【請求項１４】
前記天井プロファイル（３）の前記厚くなったヘッド部分（１０）が、前記プロファイルの前記厚くなったフット部分（１１）よりも大きいように設計されている、請求項１２または１３に記載のフレーム。
【請求項１５】
前記厚くなったヘッド部分（１０、１７）および／または前記厚くなったフット部分（１１、１８）が、本質的に断面が箱形である、請求項２、および請求項１２〜１４のうちの一項に記載のフレーム。
【請求項１６】
前記横材（１２、１９）の高さ、および／または前記厚くなったヘッド部分（１０、１７）の外面と前記厚くなったフット部分（１１、１８）の外面との間の距離が、少なくとも１つの側面上に、パネルまたは前記パネルの一部の少なくとも１つの層を有する、好ましくは絶縁された乾式壁構造（６、８、１４、１５、１６、２１、２２、２３、２４）のための空間として利用可能である、請求項１２〜１５のうちの一項に記載のフレーム。
【請求項１７】
少なくとも１つの乾式壁構造プロファイル（６、８）が前記横材（１２、１９）に対してほぼ直角に形状適合方式で挿入されるように、前記厚くなったヘッド部分（１０、１７）、前記厚くなったフット部分（１１、１８）、および前記横材（１２、１９）によって境界されており、かつ断面プロファイルが本質的にＵ字形状である、自由空間が、マウント（１３、２０）の形態で提供される、請求項１６に記載のフレーム。
【請求項１８】
モジュラ構造のためのモジュールの基本フレームワークであって、
前記フレームワークが、請求項１〜１７のうちの一項以上に記載の２つのフレーム（１）を備え、それぞれの前記支柱プロファイル（２）が、請求項４に記載のコーナプロファイルの形態で設計されており、前記２つのフレーム（１）が、互いに対して平行に配置され、第１のフレームの１つの前記コーナプロファイルが、天井プロファイル（３）および床プロファイル（４）をそれぞれ介して第２のフレームの前記コーナプロファイルに接続されていることを特徴とする、基本フレームワーク。
【請求項１９】
前記フレーム（１）を構築するために使用される前記天井プロファイル（３）および前記床プロファイル（４）が、前記フレーム（１）を互いに接続するために使用される前記天井プロファイル（３）および前記床プロファイル（４）とは異なる長さである、請求項１８に記載の基本フレームワーク。
【請求項２０】
少なくとも２つの部屋を有する、および／または２つ以上の基本フレームワークで作製された少なくとも１つの大きい部屋を有する建物の基本フレームワークを実現するために、構築ブロックを構成する少なくとも２つの基本フレームワークが、互いに上下に、互いに左右に、および／または互いに前後に接続され得る、請求項１８または１９のいずれかに記載の基本フレームワーク。
【請求項２１】
モジュラ構造のためのモジュールであって、
請求項１〜１７のうちの一項以上に記載の少なくとも１つのフレーム（１）によって、および／または請求項１８〜２０のうちの一項以上に記載の少なくとも１つの基本フレームワークによって特徴付けられる、モジュール。
【請求項２２】
フレーム（１）および／または基本フレームワークによって画定された表面のうちの少なくとも１つを閉鎖および／または充填するための、少なくとも１つの乾式壁構造（６、８、１４、１５、１６、２１、２２、２３、２４）を備える、請求項２１に記載のモジュール。
【請求項２３】
フレーム（１）および／または基本フレームワークによって画定される表面のうちの少なくとも１つを閉鎖および／または充填するための乾式壁構造（６、８、１４、１５、１６、２１、２２、２３、２４）の少なくとも１つの乾式壁構造プロファイル（６、８）を備える、請求項２２に記載のモジュール。
【請求項２４】
前記少なくとも１つの乾式壁構造プロファイル（６、８）が、そのそれぞれの端部を、２つの相互に反対の、本質的に平行な天井プロファイル（３）または床プロファイル（４）に対して本質的に直交して、形状適合方式で、マウント（１３、２０）に挿入および装着され、前記マウントは、断面プロファイルがほぼＵ字形状であり、かつ前記天井プロファイル（３）または前記床プロファイル（４）に属する、請求項２３に記載のモジュール。
【請求項２５】
前記少なくとも１つの乾式壁構造プロファイル（６、８）が、少なくとも１つの側面上にパネルの少なくとも１つの層を有する、請求項２３または２４に記載のモジュール。
【請求項２６】
前記基本フレームワークによって画定される少なくとも前記天井面と、床面と、４つの側面のうちの少なくとも１つとが、閉鎖および／または充填される、請求項２１〜２５のうちの一項に記載のモジュール。
【請求項２７】
前記モジュールが、設備を備えて提供され、仕上げられている、請求項２１〜２６のうちの一項に記載のモジュール。
【請求項２８】
ゾーンを構成する少なくとも２つのモジュールが、少なくとも２つの部屋を有する、および／または少なくとも１つの大きな部屋を有する建物を実現するために、互いに上下に、互いに左右に、および／または互いに前後に接続され得る、請求項２１〜２７のうちの一項に記載のモジュール。
【請求項２９】
モジュラ構造の建物であって、
請求項１〜１７のうちの一項以上に記載の少なくとも１つのフレーム（１）によって、および／または請求項１８〜２０のうちの一項以上に記載の少なくとも１つの基本フレームワークによって、および／または請求項２１〜２８のうちの一項以上に記載のモジュールによって特徴付けられるモジュラ構造の建物。
【請求項３０】
好ましくは、モジュラ構造のためのモジュールの基本フレームワークのために、負荷に供され得る、プロファイル、特に、支持プロファイルであって、
好ましくは、請求項１〜１７のうちの一項以上に記載のフレーム（１）、および／または請求項１８〜２０のうちの一項以上に記載の基本フレームワーク、および／または請求項２１〜２８のうちの一項以上に記載のモジュールに対して、ほぼ垂直に配置され得る支柱プロファイル（２）の形態で設計されていることを特徴とする、プロファイル。
【請求項３１】
前記支柱プロファイル（２）が、互いに角度をなす２つの天井プロファイル（３）および／または２つの床プロファイル（４）の可能な接続のためのコーナプロファイルの形態で設計されていることを特徴とする、請求項３０に記載のプロファイル。
【請求項３２】
前記支柱プロファイル（２）が、前記支柱プロファイル（２）の長手方向の少なくとも一部分にわたって延在する少なくとも１つのスロットガイド（２６）を有し、前記少なくとも１つのスロットガイド（２６）の中に、天井プロファイル（３）および／または床プロファイル（４）の接続のための少なくとも１つの接続要素（５）が挿入および保持され得る、請求項３１に記載のプロファイル。
【請求項３３】
前記少なくとも１つのスロットガイド（２６）が、前記支柱プロファイル（２）の断面プロファイルに組み込まれている、請求項３２に記載のプロファイル。
【請求項３４】
前記支柱プロファイル（２）の断面プロファイルが、互いに角度をなして配向された開口方向を有する少なくとも２つのスロットガイド（２６）を有する、請求項３１および３３に記載のプロファイル。
【請求項３５】
前記支柱プロファイル（２）の断面プロファイルが、少なくとも断面平面において、本質的に、矩形の、好ましくは本質的に正方形の輪郭を有し、前記断面平面の隣接する側面の輪郭のうちの２つに存在する凹部が、それぞれの前記スロットガイド（２６）の断面を形成する、請求項３４に記載のプロファイル。
【請求項３６】
前記スロットガイド（２６）の断面がほぼダブテール形状である、請求項３０〜３５のうちの一項に記載のプロファイル。
【請求項３７】
前記スロットガイド（２６）が、接続要素（５）、好ましくは、本質的に垂直に配置され得る接続フランジが形状適合方式で締結され得るように、特に掛止され得るように、準備されている、請求項３０〜３６のうちの一項に記載のプロファイル。
【請求項３８】
プロファイル、特に、支持プロファイルであって、好ましくは、モジュラ構造のためのモジュールの基本フレームワークのために、負荷に供され得、
好ましくは、請求項１〜１７のうちの一項以上に記載のフレーム（１）、および／または請求項１８〜２０のうちの一項以上に記載の基本フレームワーク、および／または請求項２１〜２８のうちの一項以上に記載のモジュールのために、２つの支柱プロファイル（２）、好ましくは請求項３０〜３７のうちの一項以上に記載の支柱プロファイル（２）を互いにほぼ水平に接続して配置され得るプロファイル（３、４）の形態で設計されていることを特徴とする、プロファイル。
【請求項３９】
前記プロファイル（３，４）が本質的に二重Ｔ字形状の断面プロファイルを有し、前記二重Ｔ字形状の断面プロファイルの横材（１２、１９）がほぼ垂直な配置に提供され、前記横材（１２、１９）の上下に存在する横方向端部が、二重Ｔ字形状を形成するために、厚くなったヘッド部分（１０、１７）および／または厚くなったフット部分（１１、１８）の形態で設計されている、請求項３８に記載のプロファイル。
【請求項４０】
前記プロファイルが、天井プロファイル（３）の形態で設計されており、前記天井プロファイル（３）の前記厚くなったヘッド部分（１０）が、前記プロファイルの前記厚くなったフット部分（１１）よりも大きいように設計されている、請求項３９に記載のプロファイル。
【請求項４１】
前記プロファイルが、床プロファイル（４）の形態で設計されており、前記床プロファイル（４）の前記厚くなったヘッド部分（１７）および前記厚くなったフット部分（１８）がほぼ等しいサイズであり、好ましくは、前記厚くなったフット部分（１８）が幾分より広範であるように設計されている、請求項４０に記載のプロファイル。
【請求項４２】
前記厚くなったヘッド部分（１０、１１）および／または前記厚くなったフット部分（１７、１８）が、断面が本質的に箱形である、請求項３８〜４１のうちの一項に記載のプロファイル。
【請求項４３】
前記横材（１２、１９）の高さ、および／または前記厚くなったヘッド部分（１０、１７）の外面と前記厚くなったフット部分（１１、１８）の外面との間の距離が、少なくとも１つの側面上に、または乾式壁構造の一部として、パネルの少なくとも１つの層を有する、好ましくは絶縁された乾式壁構造（６、８、１４、１５、１６、２１、２２、２３、２４）のための空間として利用可能である、請求項３８〜４２のうちの一項に記載のプロファイル。
【請求項４４】
少なくとも１つの乾式壁構造プロファイル（６、８）が前記横材（１２、１９）に対してほぼ直角に形状適合方式で挿入されるように、前記厚くなったヘッド部分（１０、１７）、前記厚くなったフット部分（１１、１８）、および前記横材（１２、１９）によって境界され、かつ断面プロファイルが本質的にＵ字形状である自由空間が、マウント（１３、２０）の形態で提供されている、請求項４３に記載のプロファイル。
【請求項４５】
前記プロファイル（２、３、４）が、本質的に、または特定の領域において、中空プロファイルの形態で設計されている、請求項３０〜４４のうちの一項に記載のプロファイル。
【請求項４６】
前記プロファイル（２、３、４）が、本質的に、金属シートが形成作業に供されて形成されている、請求項４５に記載のプロファイル。
【請求項４７】
モジュラ構造のためのモジュールの基本フレームワークを好ましくは支持する、優先的には自己支持することを意図され、かつ２つの支柱プロファイルを備え、前記支柱プロファイルが本質的に垂直に配置され得るか、または垂直に配置され、前記支柱プロファイルの上端が、天井プロファイルを介して互いに接続され得るか、または接続され、前記支柱プロファイルの下端が、床プロファイルを介して互いに接続され得るか、または接続される、建造物要素のセットであって、
請求項３０〜４６のうちの一項以上に記載の少なくとも１つのプロファイル（２、３、４）、および／または請求項１〜１７のうちの一項以上に記載の少なくとも１つのフレーム（１）によって特徴付けられる建造物要素のセット。
【請求項４８】
少なくとも１つの接続要素（５）を備え、前記少なくとも１つの接続要素（５）によって、ほぼ水平に配置され得る天井プロファイル（３）および／または床プロファイル（４）が、ほぼ垂直に配置され得る支柱プロファイル（２）に接続される、請求項４７に記載の建造物要素のセット。
【請求項４９】
前記少なくとも１つの接続要素（５）が、好ましくは本質的にほぼ垂直に配置され得る本質的に平坦な接続プレートとして設計されている、請求項４８に記載の建造物要素のセット。
【請求項５０】
前記少なくとも１つの接続要素（５）が、支柱プロファイル（２）との掛止接続を確立するための少なくとも１つの締結要素（２７）を有する、請求項４８または４９に記載の建造物要素のセット。
【発明の詳細な説明】
【技術分野】
【０００１】
本発明は、フレーム、特に壁フレームであって、モジュラ構造のためのモジュールの基本フレームワークを好ましくは支持、優先的には自己支持することを意図し、かつ２つの支柱プロファイルを備え、この支柱プロファイルが本質的に垂直に配置され得るか、または本質的に垂直に配置され、この支柱プロファイルの上端が、天井プロファイルを介して互いに接続され得るか、または接続され、この支柱プロファイルの下端が、床プロファイルを介して互いに接続され得るか、または接続される、フレームに関する。
【０００２】
本発明はまた、モジュラ構造のための、基本フレームワーク、モジュール、プロファイル、および建造物要素のセットに関し、ならびにさらにはモジュラ構造建物に関する。
【０００３】
モジュラ構造に関する多数の提案が数十年にわたって行われてきた。
【０００４】
特に、問題の種類のフレームが、ＥＰ１０５５０３６Ｂ１から知られている。同様のフレームがＧＢ１３５０６３１によって開示されている。
【０００５】
しかしながら、既知のフレーム、および特にケージのような建築ブロックフレームワークを形成するためのフレームのさらなる開発には、依然として非常に高いレベルの組み立て費用が必要である。モジュラ構造の概念は、それぞれの建設現場がこの組み立て費用を大幅に節約することを意味するが、後者は削減されるのではなく、単に産業用のプレハブ段階にシフトされる。しかしながら、このことは、ケージのような建築ブロックフレームワークのための組み立て費用、すなわち、最も広い意味での鉄骨工事にだけでなく、必要な部屋の壁、床、ラミネート、絶縁材、窓、ドア、および特に、例えば通信、電力、暖房、水道水、廃水、他の衛生用途などのための供給設備および廃棄設備を有する完成ゾーンを形成する、これらの建築ブロックフレームワークのさらなる開発にも当てはまる。
【０００６】
モジュラ構造の目的は、完全なモジュールまたはモジュール部品を可能な限り形成するために、部屋ユニットまたはこれらのユニットのエリアをプレハブ方式で作製し、仕上げることであるべきであり、これにより、建設現場において、必要とされることは、これらの部屋ユニットを組み立てて建物を形成し、標準化と個々の設計との合理的なバランスを正確に取ることのみである。同時に、このことは、本発明の一般的な問題が基づく原理を形成する。
【０００７】
具体的に言えば、本発明は、建造物要素、建造物ユニット、および／またはモジュラ構造のためのモジュールをさらに開発する問題に基づいており、可能な限り少ない数の新規な適切に設計された建造物要素を使用して、また好ましくは、必要に応じて乾式壁構造に共通の建造物要素に加えて、比較的低いレベルの組み立て費用で、完成した部屋ユニットまたは上記のユニットのエリアを製造し、およびプレハブ方式で作製し、これを好ましくは支持機能と組み合わせて、完全な建物、例えば都市部の比較的高層の建物でさえも形成することが可能であるようになっている。
【０００８】
この問題は、本発明によるフレームに関して、それぞれ異なるように構成された断面プロファイルを有する支柱プロファイル、天井プロファイル、および床プロファイルによって、本発明により有利かつ驚くべき態様で解決される。
【０００９】
本発明によれば、好ましくは４つの基本建造物要素、すなわち２つの支柱プロファイル、天井プロファイル、および床プロファイルからフレームが提供される。これらの４つの建造物要素は、たった３つの異なる建造物部分形状をなし、したがって、好ましくは、一種のモジュラ構造システムの基本要素を形成する。３つの建造物部分形状は、それら建造物部分形状のそれぞれの目的に応じて最適に設計されていると同時に、モジュラ構造システムの他の建造物要素との概して標準化された接続および組み合わせを提供する特定のキー形状を有する。より高いシステムレベルでは、基本フレームワークの場合、基本フレームワークに応じて製造される本発明によるフレーム自体が、今度は基本的な建造物要素になる。本発明により得られる基本フレームワークは、さらに高いシステムレベルでは、モジュールの基本的な建造物ユニットである。
【００１０】
本発明によるフレームは、フレームが基本フレームワークおよびモジュールの支持能力および自己支持能力を既に既定および確保している限り、重要な基本要素である。この発明の成果は、さらに詳細に説明され、本発明のそれぞれの実施形態と共に以下で明らかにされる。しかしながら、本発明によるフレームが、完全な部屋の壁を形成して仕上げるために閉鎖すること、および／または建設現場ではなく産業上の製造フェーズ内ではあるが後の段階で自由に行われる設計決定を、有利に可能にすることは、想定済みである。後続の基本フレームワークのどの側面を閉鎖または充填すべきかの決定は、モジュールおよびフレームワークの支持機能とは関係ない。これはまた、最終的に、基本フレームワークまたはモジュールによって、囲まれた部屋または部屋の一部へと形成されるように、またはさらに開放された側面を介して他の基本フレームワークまたはモジュールに接続されてより大きい部屋を形成するように、提供される、部屋ユニットまたはエリア、特に壁および／または天井および／または床に対する設計の自由度を提供する。完全な部屋セクションが、産業的に製造され、完全な建物エリアの全ての表面、要素、および設備が装備され、建設現場において、必要とされることは、これらをはめ込み、および接続することのみであることが、本発明により好ましくかつ非常に有利に可能になるということを、再度強調しておく。したがって、特に、乾式壁作業および設置作業は、建設現場から産業上の製造フェーズに有利に移行され得る。
【００１１】
また、閉鎖または充填された側面が、例えば窓、ドア、階段などの（区切られた）開口部を有することも可能であることを指摘しておく。
【００１２】
本発明によるフレームの３つの異なるプロファイル形状は、それらプロファイル形状の目的に応じて、すなわちモジュール天井、モジュール床、またはモジュール壁を構成する準備として有利に設計され得る。また、異なる建造物部分形状により、これらのプロファイルが明確になり、このことにより、訓練を受けていない人員でもフレームの組み立てが大幅に簡素化され、高速化される。同時に、プロファイルは、必要な強度および支持能力を有するように構成され得る。これに加えて、既に述べたように、プロファイルの設計において「キー形状」を使用することができ、これらのキー形状は、他の建造物要素に接続するためのインターフェースとして標準化され得る。ここで使用可能な材料は、特に鋼、好ましくは軽量鋼である。
【００１３】
本発明のさらなる利点は、本発明によるフレーム、したがってモジュール全体の分解も、このフレームの組み立てと全く同じくらい容易であることである。
【００１４】
本発明によるフレームの実施形態は、本質的に、または特定の領域において、中空プロファイルの形態で設計される断面プロファイルの各々を提供する。この目的で、好ましくは、金属シートが形成操作に供されることによってプロファイルが形成され得る。金属シートは有利には冷間圧延されてもよい。
【００１５】
中空プロファイルは、より軽量で、より少ない材料で、したがってより少ないリソースで実現でき、よりエコロジカルで費用対効果の高い態様で実現でき、その一方で、特に断面形状の結果として、十分かつ適切な安定性と、支持能力およびさらには機能性と、を提供することができる。金属シートからの製造は、この目的で特に便利であり、従来の形成技術、特に折り曲げ、曲げおよび／または圧延を利用することが可能である。曲げ半径または折り曲げ半径が既定されているため、材料またはワークピースの所望されない弱体化を確実になくすことが可能である。安定性および／または製造に関連する理由で、全ての領域が中空設計になるとは限らない場合がある。しかしながら、金属シートからの製造中に、例えば、同様に多層領域を伴って作業することも可能である。例えば、使用され得る鋼板の金属シートの厚さは、例えば、好ましくは３〜５ｍｍ、好ましくは約４ｍｍであり得る。
【００１６】
プロファイルの中空領域は、供給ラインのチャネルとして使用できるが、このようなラインは、乾式壁構造に関しては、コンパートメント、他のプロファイル、シャフト、チャネル内に通常の態様でも収容され得る。
【００１７】
第１の例では、本発明による異なる断面プロファイルの有利な実施形態が、これから以下で詳細に考慮され、説明される。
【００１８】
本発明の実施形態は、２つの天井プロファイルおよび／または床プロファイルの接続を可能にするようにコーナプロファイルの形態で設計された支柱プロファイルによって特徴付けられる。プロファイルは、好ましくは、本質的に互いに角度をなして、特に好ましくは、互いに直角に接続される。角度は１０°より大きく、好ましくは２０°より大きく１８０°より小さい。
【００１９】
したがって、本発明による支柱プロファイルは、基本フレームワークに対する正確なコーナ設計を有利に確保および提供する。同時に、支柱プロファイルは、フレームおよびフレームから作製された基本フレームワークの、コーナコラムとしての、建造物全体に対する支柱プロファイルの重要な支持能力タスクを実行することができる。したがって、支柱プロファイルは、特に、全ての建造物要素が正しい角度を有して高い寸法精度で構築されるための基礎を提供するコーナプロファイルでもあり、したがって、コーナプロファイルは、また、同時に信頼性を有する品質および再現性と共に、組み立て費用に対するプラスの効果を有する。
【００２０】
本発明の実施形態は、支柱プロファイルが、支柱プロファイルの長手方向の少なくとも一部分にわたって延在する少なくとも１つのスロットガイドを有し、スロットガイド内に、天井プロファイルおよび／または床プロファイルを接続するための少なくとも１つの接続要素が挿入および保持されることを提供する。スロットガイドは、他の断面プロファイルを取り付けるための画定された頼性を有する境界面を提供し、好ましくは各組み立て操作が接合部で行われる方針で進行し得ることから、この境界面は、また、好ましくは、上記の他の断面プロファイルの正しい配向を確保する。本発明による支柱プロファイルの実施形態の場合、少なくとも１つのスロットガイドを支柱プロファイルの断面プロファイルに組み込むことも、好ましくは可能である。
【００２１】
コーナ支持の形態で本発明による支柱プロファイルを設計するために、支柱プロファイルの断面プロファイルが、互いにある角度をなして、好ましくは本質的に直角をなして配向された開口方向を有する少なくとも２つのスロットガイドを有することが好ましくは提供される。既に説明したように、開口方向の配向は、好ましくは、開口部上に装着される他のプロファイルの正しい配向も確保する。
【００２２】
本発明による支柱プロファイルおよび本発明によるフレームの好ましい特に有利な実施形態は、少なくとも断面平面における支柱プロファイルの断面プロファイルが、本質的に矩形、好ましくは本質的に正方形の輪郭を有し、断面プロファイルの、それぞれのスロットガイドの断面を形成する隣接する側面輪郭のうちの２つに存在する凹部を有することを提供する。このことにより、支柱プロファイルおよびフレームの安定性および支持能力と、フレームおよび結果として得られる基本フレームワークのコーナ形成と、他のプロファイルの正しく信頼性を有する取り付けが同時に確保される。そのことにより、また、支柱プロファイルを比較的迅速に、簡単に、および費用対効果の高い態様で製造することが可能になる。
【００２３】
スロットガイドの断面がほぼダブテール形状である、好ましい支柱プロファイル設計は、一種の挿入漏斗または挿入コーンを提供することにより、主に接続要素を上記のスロットガイドに、より容易かつより円滑に挿入することを提供する。漏斗は、接続の最終的な正しい配向に悪影響を与えず、このことは、他の要素または機能によって確保され得る。例えば、接続要素が形状適合方式で締結され得るように、特に掛止され得るようにスロットガイドを準備することによって、正しい配向と信頼性を有する締結との両方を達成することが可能である。例えば、スロットガイドがスロットガイドのベース領域に挿入スロットを有することが可能であり、挿入スロット内に接続要素のフック要素が、挿入され、次に下向きの動きによって上方から掛止され得る。好ましくは、各接続要素は、本質的に垂直に配置され得る接続プレートの形態で本質的に簡単に設計され得る。
【００２４】
本発明の別の実施形態は、各々が本質的に二重Ｔ字形状の断面プロファイルを有し、横材が本質的に垂直に配置される、天井プロファイルおよび床プロファイルによって特徴付けられる。二重Ｔ字形状を形成する横材の頂部および底部に存在する横方向端部は、厚くなったヘッド部分および／または厚くなったフット部分の形態で設計されている。床プロファイルの断面プロファイルにおける厚くなったフット部分は、好ましくは、天井プロファイルの厚くなったフットの垂直範囲よりも大きい垂直範囲を有する。
【００２５】
したがって、本発明によれば、天井プロファイルおよび床プロファイルは、好ましくは、部分的に、特にそれらプロファイルの中央横材領域において、類似の建造物部分形状であり、このことにより相互運用性が促進される。しかしながら、一方で、それらはまた、それらの目的に応じて互いに異なる建造物部分形状である。それらプロファイルは両方とも、好ましくは、厚くなったヘッド部分と厚くなったフット部分とを有し、その結果、特に、それぞれのプロファイルの安定性および支持能力を既定し、および設定することが可能である。それらプロファイルの異なる目的を考慮すると、好ましくは、床プロファイルの厚くなったフット部分は、天井プロファイルのフット部分よりも大きい寸法であり、その結果、特に天井の領域では、重量が減少し、床の領域では、支持能力が高まる。組み立て中に、天井プロファイルおよび床プロファイルを接続して、互いに上下に配置される支持を形成することによって、支持能力を追加的に高めることができる。
【００２６】
特に、実施形態が、床プロファイルの厚くなったヘッド部分と厚くなったフット部分とをほぼ同じサイズにし、好ましくは、厚くなったフット部分が幾分より広範であるように設計されることを提供することが可能である。
【００２７】
天井プロファイルの実施形態は、好ましくは、天井プロファイルの厚くなったヘッド部分が、上記のプロファイルの厚くなったフット部分よりも大きくなるように設計されることを提供する。
【００２８】
厚くなったヘッド部分および／または厚くなったフット部分の断面が本質的に箱形である場合、基本フレームワークおよびモジュールの形状にとって有利である。このことにより、プロファイルの製造が簡素化され、プロファイルの安定性および支持能力が確保される。
【００２９】
相互運用性のために、天井プロファイルおよび床プロファイルが、特に横材領域で同様の領域を有してもよいことを既に述べた。本発明の実施形態は、横材の高さ、および／または厚くなったヘッド部分の外面と厚くなったフット部分の外面との間の距離が、少なくとも１つの側面上に、パネルまたはパネルの一部の少なくとも１つの層を有する、好ましくは絶縁乾式壁構造のための空間として利用可能であることを提供する。少なくとも１つの乾式壁構造プロファイルを、横材に対してほぼ直角に形状適合方式で挿入するために、厚くなったヘッド部分、厚くなったフット部分、および横材によって境界され、断面プロファイルが本質的にＵ字形状である自由空間をマウントの形態で提供することが、好ましくは提供されてもよい。
【００３０】
したがって、特にこの領域では、好ましくは、本発明の問題に関連して既に上述したように、必要に応じて、乾式壁構造に共通する追加の建造物要素の境界面（好ましくは標準化されている）を作製および提供することが可能である。ここでは、従来の非支持型乾式壁構造のプロファイルを使用するのではなく、軽量鋼構造のプロファイルを使用することが好ましく、軽量鋼構造が特別な種類の乾式壁構造とみなされるか、または別個の種類の構造であるとみなされるかどうかは基本的に重要でない。本発明と関連する範囲で、要件に応じて、非支持要素または支持要素を使用し得るため、このことに関連して、単純化のために、軽量鋼構造は特別な種類の乾式壁構造とみなされる。
【００３１】
しかしながら、述べられた最も広い意味での乾式壁構造プロファイル、好ましくはＣプロファイルを、本発明による天井プロファイルおよび床プロファイルに形成されたマウントに形状適合方式で挿入することが可能である。特に、天井または床の多層構造が想定される場合、上記の乾式壁構造プロファイルのパネルまたは任意の他の積層もしくはカバーが、それぞれのプロファイルの外面を使用することも可能である。
【００３２】
好ましくは、本発明による天井プロファイルと、さらには本発明による床プロファイルとは、約１００ｍｍの横材高さを有するか、または、少なくとも、対応する寸法のＣプロファイルに適切であることが可能である。要件または用途に応じて、特に異なる国の慣習または基準を考慮して、非常に異なる寸法の乾式壁構造プロファイルが有用であり得るため、本発明によるフレームおよびプロファイルの異なる実施形態に応じてそのような寸法を、製造公差としてではなく寸法の変更として、一方では例えば±３ｍｍだけ、適切に変更することが可能である。他方では、寸法は、また、例えば約１５０、２００、または２５０ｍｍなどの程度の大きさだけ変化し得る。
【００３３】
例えば、天井プロファイルの場合、厚くなったヘッド部分は、約３０〜４２ｍｍ、好ましくは約３６ｍｍの高さを有し得る。厚くなったフット部分は、例えば、約１０〜１８ｍｍ、好ましくは約１４ｍｍの高さを有し得る。
【００３４】
床プロファイルの場合、例えば、厚くなったヘッド部分は、約４０〜５６ｍｍ、好ましくは約４８ｍｍの高さを有し得る。厚くなったフット部分は、例えば、約４０〜６４ｍｍ、好ましくは約５２ｍｍの高さを有し得る。
【００３５】
２つのプロファイルの幅は、例えば、約６０〜８０ｍｍの範囲内にあり得、好ましくは約７０ｍｍであり得る。
【００３６】
モジュラ構造のためのモジュールに属する、本発明による基本フレームワークについても独立した保護が求められており、基本フレームワークは、前述の問題に対する独立した解決策では、フレームワークが２つのフレームを備え、それぞれの支柱プロファイルがコーナプロファイルの形態で設計され、２つのフレームが互いに対して平行に配置され、第１のフレームのコーナプロファイルがそれぞれ天井プロファイルおよび床プロファイルを介して第２のフレームのコーナプロファイルに接続されることを特徴とする。
【００３７】
言い換えれば、基本フレームワークは、本発明による２つのフレームを備え、このフレーム内でそれぞれの支柱プロファイルが、本発明によるコーナプロファイルの形態で設計されている。２つのフレームは互いに対して平行に、かつ互いに位置整合して（一致して）配置され、２つのフレームを接続する目的で、互いに反対側に位置する２つのフレームのコーナプロファイルはそれぞれの天井プロファイルとそれぞれの床プロファイルとを介して互いに接続される。
【００３８】
したがって、好ましくは、より高いシステムレベルで、同じ原理に従って、本発明によるフレームが、このフレームの一部に建築ブロックまたはモジュールの部屋ユニットのスケルトンを形成する安定な基本フレームワークを形成するために、有利に使用される。２つのフレームが、このフレームの長さは異なり得るが、フレーム自体と同じ天井プロファイルおよび床プロファイルを有するコーナ支柱を介して接続されて、本質的に直方体のフレームワークを形成するということに留意する。接続後、４つの壁面の全てが最終的に同様のフレームとして現れるため、その場合に、元のフレームと上記の基本フレームワークの接続プロファイルとを作製することはできなくなる。複数のこのようなフレームワークの組み立ては、基本フレームワークの配向が安定性および支持能力の決定的な要因ではないため、アーキテクチャの多様性と開発可能性とにさらに寄与し得る。
【００３９】
特に、本発明による基本フレームワークの実施形態によれば、例えば、フレームを互いに接続するために使用される天井プロファイルおよび床プロファイルとは異なる長さのフレームを構築するために使用される天井プロファイルおよび床プロファイルによって、任意の所望される横長比および直方体形状を（静的要件を考慮に入れて）達成することが可能である。つまり、２つのフレームが接続されると、元のフレームをそのようなものとして理解することができなくなる。
【００４０】
既に上述したように、実施形態は、少なくとも２つの天井プロファイル部分および／または床プロファイル部分の長手方向の接続によって異なる有効長の天井プロファイルおよび／または床プロファイルを実現することによって特徴付けられてもよい。
【００４１】
基本フレームワークは、既に説明したように、建築ブロックまたは部屋ユニットのスケルトンを形成するため、有利には、少なくとも２つの部屋を有する、または複数の基本フレームワークで作製された少なくとも１つの比較的大きい部屋を有する建物のための基本フレームワークを実現するために、建築ブロックを構成する少なくとも２つの基本フレームワークを互いに上下に、互いに左右に、および／または互いに前後に接続することができるようにすることが提供されてもよい。特に、また、基本フレームワークを、同じレベルだけでなく、異なるレベルを有するスタックにおいても、安定な支持態様で互いに接続することが可能である。有利なことに、上部の基本フレームワーク／モジュールが完全な床を提供し、下部の基本フレームワーク／モジュールが完全な床の下に天井を提供することが可能である。基本フレームワークは、特定の接続要素によって、またはさらに比較的簡単な接続プレートによって、互いに接続され得る。好ましくは、キー／ロック接続のための接続部品が使用される。したがって、例えば、積み重ね配置のために、接続部品が上下方向に形状適合体を有することが可能であり、上記の形状適合体を形状適合方式で導入し、例えばコーナプロファイルの上端面および下端面の対応するマウントに留めることが可能であり、場合によっては、例えば一種のハンドスパイクのような外部に取り付けられたツールによって回転させることが可能である。
【００４２】
同様に、モジュラ構造を対象とする、本発明によるモジュールについて独立した保護が請求され、モジュールは、前述の問題に対する独立した解決策では、本発明による少なくとも１つのフレームおよび／または本発明による少なくとも１つの基本フレームワークによって特徴付けられる。
【００４３】
本発明によるモジュールの実施形態は、好ましくは、フレームおよび／または基本フレームワークによって画定される表面のうちの少なくとも１つを閉鎖および／または充填するための少なくとも１つの乾式壁構造によって特徴付けられる。既に説明したように、原則として、共通の建造物要素をこの目的で使用することができる。どの表面が充填され、どの表面が開放されたままであるかは、空間を形成するための、それぞれのモジュールと隣接するモジュールとの所望される組み合わせに依存する。既に上述したように、本発明の好ましい実施形態によって提供されるように、必要な供給設備および廃棄設備を含めることも可能である。
【００４４】
同様に既に述べ、上記で説明したように、フレームおよび／または基本フレームワークによって画定された表面のうちの少なくとも１つを閉鎖および／または充填するために、好ましくは少なくとも１つの乾式壁構造プロファイルを提供することが可能であり、好ましくは、少なくとも１つの乾式壁構造プロファイルが、このプロファイルのそれぞれの端部を、断面プロファイルがほぼＵ字形状であり、かつ上記の天井プロファイルまたは床プロファイルに属するマウントに、２つの相互に反対の本質的に平行な天井プロファイルまたは床プロファイルに対して、本質的に直交して、形状適合方式で挿入および装着されることが提供されてもよい。少なくとも１つの乾式壁構造プロファイルは、好ましくは、少なくとも一側面上に、パネルの少なくとも１つの層を有してもよい。
【００４５】
本発明によるモジュールの好ましい実施形態は、少なくとも天井面、床面、および基本フレームワークによって画定された４つの側面のうちの少なくとも１つを閉鎖および／または充填することを提供し、それぞれ開放された側面は、他の部屋ユニットを接続して対応する部屋を形成するために機能し得る。したがって、特に、トンネルのようなモジュールを有することも可能であり、このモジュールを、２つの他のモジュール間の延長介在物として使用することができる。しかしながら、隣接する側面を開放されたままにして、例えば３つの同様のモジュールと共に、４倍のサイズの部屋を形成することも可能である。当然ながら、それにも関わらず、閉囲された部屋を形成するために全ての側面を閉鎖すること、または、全ての側面を開放されたままとすることも可能であり、例えば、後者の場合は、非常に大きい部屋またはホールを提供するために中央に配置され得るモジュールの場合である。
【００４６】
既に述べたように、本発明によるモジュールの別の実施形態は、好ましくは、建物の部屋の特定の領域に必要である設備が備えられ、および仕上げられるモジュールによって特徴付けられ得る。
【００４７】
本発明による基本フレームワークに関連して既に説明したように、少なくとも２つの部屋を有する、および／または少なくとも１つの比較的大きい部屋を有する建物を実現するために、好ましくは、ゾーンを構成する少なくとも２つのモジュールが、互いに上下に、互いに左右に、および／または互いに前後に接続できることが対応して可能である。
【００４８】
また、本発明によるモジュラ構造建築物に対して独立した保護が特許請求され、モジュラ構造建築物は、前述の問題に対する独立した解決策において、本発明による少なくとも１つのフレームによって、および／または本発明による少なくとも１つの基本フレームワークによって、および／または本発明によるモジュールによって特徴付けられる。
【００４９】
これに加えて、本発明によるプロファイルに対して独立した保護が特許請求され、プロファイルは、前述の問題に対する独立した解決策において、好ましくは、本発明による基本フレームワークおよび／または本発明によるモジュールのために、本質的に垂直に配置され得る支柱プロファイルの形態で設計されていることによって特徴付けられる。
【００５０】
本発明によるこのような支柱プロファイルの好ましい実施形態は、既に上記で説明されており、不必要な繰り返しを避けるために、上記の説明が参照される。
【００５１】
さらに、本発明によるプロファイルに対して、独立した保護が特許請求され、プロファイルは、前述の問題に対する独立した解決策において、本質的に水平に配置され得るプロファイルの形態で設計されていることによって特徴付けられ、かつ好ましくは本発明による基本フレームワークおよび／または本発明によるモジュールのために、２つの支柱プロファイル、好ましくは本発明による支柱プロファイルを互いに接続することが意図されている。
【００５２】
本発明による天井プロファイルおよび／または床プロファイルの好ましい実施形態は、上記で同様に説明されており、したがって、この点でも不必要な繰り返しを避けるために、上記の説明が参照される。
【００５３】
本発明による建造物要素のセットに対して、独立した保護が特許請求され、建造物要素のセットは、モジュラ構造のためのモジュールの基本フレームワークを、好ましくは支持、優先的には自己支持することが意図され、かつ２つの支柱プロファイルを備え、この支柱プロファイルが本質的に垂直に配置され得るか、または配置され、この支柱プロファイルの上端が、天井プロファイルを介して互いに接続され得るか、または接続され、この支柱プロファイルの下端が、床プロファイルを介して互いに接続され得るか、または接続される。建造物要素の上記のセットは、前述の問題に対する独立した解決策において、本発明による少なくとも１つのプロファイルおよび／または本発明による少なくとも１つのフレームによって特徴付けられる。
【００５４】
既に上記で説明したように、本発明によれば、比較的少数の単純な構造要素を有し、特に、モジュラ構造のための、汎用性のある、信頼性を有する、安定な支持モジュールのための基本フレームワークを提供するために使用され得るモジュラ構造システムを提供することが可能であることが利点である。このことは、また、実際には、特に本発明による建造物要素のセットの形態で実現され得る。
【００５５】
別の実施形態によれば、本発明による建造物要素のセットは、少なくとも１つの接続要素によって特徴付けられ、この接続要素によって、ほぼ水平に配置され得る天井プロファイルおよび／または床プロファイルを、本質的に垂直に配置された支持プロファイルに接続することができる。少なくとも１つの接続要素は、好ましくは、好ましくはほぼ垂直に配置され得る、大部分が平坦な接続プレートの形態で設計されていることが可能である。
【００５６】
好ましい実施形態によれば、少なくとも１つの接続要素は、支柱プロファイルとの掛止接続を確立するための少なくとも１つの締結要素を有する。
【００５７】
さらなる発明の特徴を収集することができるが、基本的に単に例として与えられたとみなされるものであって、本発明の主題またはその保護の範囲を制限するものではない、例示的な実施形態を、図面に示す。
【図面の簡単な説明】
【００５８】
【図１】モジュラ構造のための、本発明によるフレームの側面図を示す。
【図２】図１による２つのフレームを備える、本発明による基本フレームワークの斜視図を示す。
【図３】図１によるフレームのための天井プロファイルの断面図を示す。
【図４】図１によるフレームのための床プロファイルの断面図を示す。
【図５】図１によるフレームのための支柱プロファイルの断面を示す。
【図６】図５による支柱プロファイルで使用するための接続要素の斜視図を示す。
【００５９】
図１は、モジュラ構造のための、本発明によるフレーム１の側面図を示す。
【００６０】
本発明によるフレーム１は、２つの垂直支柱プロファイル２、支柱プロファイル２の上端を互いに接続する水平天井プロファイル３、および支柱プロファイル２の下端を互いに接続する水平床プロファイル４を備える。
【００６１】
フレーム１は、本質的に、モジュラ構造のためのモジュールの壁のためのフレームを形成することができる。同時に、フレーム１は、このようなモジュールのための本質的にほぼ直方体の基本フレームワークを構築するためのコンポーネントとして機能することができ、天井プロファイル３はこの場合にモジュールの天井の一部を形成し、床プロファイル４は床のモジュールの床の一部を形成する。
【００６２】
支柱プロファイル２は、図１に示す床プロファイル４および天井プロファイル３に対して直交して配向された天井プロファイル３および床プロファイル４が、モジュールの他の壁を形成するために取り付けられ得るように、コーナプロファイルの形態で設計されている。
【００６３】
天井プロファイル３および床プロファイル４は、本質的に板状の平坦な接続要素５を介して支柱プロファイル２に接続される。
【００６４】
図２は、モジュラ構造のためのモジュールのための、本発明による基本フレームワークの斜視図を示す。
【００６５】
２つのフレーム１は、この基本フレームワークの長手方向の側壁フレームを形成する。図１に関連して既に説明したように、これらのフレーム１のそれぞれの支柱プロファイル２は、さらなる天井プロファイル３および床プロファイル４を介して横方向に互いに接続されて、直方体形状を形成する。しかしながら、細い側面および長手方向の側面の両方が本発明によるフレーム１を表すため、天井プロファイル３および床プロファイル４を介してフレームワークの細い側面を互いに長手方向に接続することも可能である。このことにより、基本フレームワークが静的な観点から特に安定し、基本フレームワークに、支持能力、全体的にはさらに自己支持機能が提供される。したがって、特に、多数のこのような基本フレームワークを積み重ねて互いに接続して、建物の階を形成し、したがって、これにより、真のモジュラ構造を提供することが可能である。このことは、図２に示すように、例えば１つのフレーム１が開放されている、つまりモジュール内でも充填されないままである場合でも可能であり、対応してミラー反転された態様で開放された基本フレームワークが、この開放された側に取り付けられて、単一の基本フレームワークによって形成される部屋のサイズの２倍ある連続した空間を作成することが可能である。複数の基本フレームワークを使用してさらに大きい空間を形成するために、２つ以上の側壁を開放されたままにすることが可能である。このことは、図１に示すようなフレーム１が壁を形成するために完成させたかどうかに関係なく、常に、所望される安定性および支持能力を確立する。このことは、好ましくは、それぞれのプロファイル２、３、４の断面プロファイルの特定の形状によって達成され、これについては以下でさらに詳細に考察される。
【００６６】
図２で分かるように、接続要素５は、外側からそれぞれのプロファイル３、４に当接する。
【００６７】
乾式壁構造のさらなる構造要素を提供するために、乾式壁構造プロファイル６、７、８、９、例えばＣプロファイル、特に軽量鋼乾式壁構造プロファイルをフレームプロファイル２、３、４間に挿入することができる。フレームプロファイル２、３、４は、好ましくは鋼板から製造されている。
【００６８】
図３は、図１によるフレーム１のための、本発明による天井プロファイル３の断面を示す。
【００６９】
天井プロファイル３は、シート状の材料、好ましくは金属シート、好ましくは鋼板から形成されていることが分かる。断面が中空のプロファイル領域が形成されている。金属シートは、コーナ領域の材料の弱体化を避けるために、コーナ半径によって丸い形に曲げられるか、または角度が付けられている。
【００７０】
プロファイルの安定性をさらに高める目的で、追加の溶接接続が考えられ、いくつかの領域、特にそれぞれのプロファイルの継ぎ目領域で可能である。
【００７１】
天井プロファイル３は、本質的に二重Ｔ字断面形状に形成されている。中空の厚くなったヘッド部分１０と中空の厚くなったフット部分１１とが形成されている。フレーム１内で垂直に配向された、天井プロファイル３の横材１２は、厚くなったヘッド部分１０と厚くなったフット部分１１との間に延在する。
【００７２】
図３は、天井プロファイル３に沿って、および／または天井プロファイル３において、モジュールを完成させるための天井を形成するための、かつ図２による基本フレームワークの天井面を充填するための乾式壁構造要素を表す。
【００７３】
この図は、乾式壁構造プロファイル６、特に軽量鋼構造プロファイルのほぼＣ字形状の断面を示し、その多くは図２でも分かる。このようなプロファイル６の端部側は、天井プロファイル３の、厚くなったヘッド部分１０、厚くなったフット部分１１、および横材１２（図３に示されているものに直交して配向される）によって形成された、断面がほぼＵ字形状のマウント１３に形状適合して挿入され、当該挿入操作は横材１２まで行われ得る。
【００７４】
図３は、プロファイル６における、例えばミネラルウール製の、絶縁材層１４を表す。これに加えて、プロファイル６は、例えば石膏ボードなどのパネルボード１５、１６で両側がパネル処理されている。上部パネル１５は１層であり、モジュールによって形成された部屋で見える天井面を形成する下部パネル１６は２層化されている。絶縁材１４、プロファイル６、パネル１５および１６、ならびに場合によっては他の建造物要素は、また、遮音および／または防火を提供することができる。
【００７５】
図４は、図１によるフレーム１のための、本発明による床プロファイル４の断面を示す。
【００７６】
床プロファイル４は、シート状の材料、好ましくは金属シート、好ましくは鋼板から形成されていることが分かる。断面が中空のプロファイル領域が形成されている。金属シートは、コーナ領域の材料の弱体化を避けるために、コーナ半径によって丸い形に曲げられるか、または角度が付けられている。
【００７７】
プロファイルの安定性をさらに高める目的で、追加の溶接接続が考えられ、いくつかの領域、特にそれぞれのプロファイルの継ぎ目領域で可能である。
【００７８】
床プロファイル４は、本質的に二重Ｔ字断面形状に形成されている。中空の厚くなったヘッド部分１７と中空の厚くなったフット部分１８とがここに形成されている。フレーム１内で垂直に配向された床プロファイル４の横材１９は、厚くなったヘッド部分１７と厚くなった床部分１８との間に延在する。
【００７９】
図４は、床プロファイル４に沿って、および／または床プロファイル４において、モジュールを完成させるための床を形成するための、かつ図２による基本フレームワークの床面を充填するための乾式壁構造要素を表す。
【００８０】
この図は、乾式壁構造プロファイル８、特に軽量鋼構造プロファイルの本質的にＣ字形状の断面を示し、その多くは図２でも分かる。このようなプロファイル８の端部側は、床プロファイル４の、厚くなったヘッド部分１７、厚くなったフット部分１８、および横材１９（図４に示されているものに直交して配向される）によって形成された、断面がほぼＵ字形状のマウント２０に形状適合して挿入され、当該挿入操作は横材１９まで行われ得る。
【００８１】
図４は、プロファイル８における、例えばミネラルウール製の、絶縁材層１４を表す。これに加えて、プロファイル８は、例えば、石膏ボードおよび／もしくは木質材料ボード、または当業者に知られている任意の他の好適な建築ボードなどのパネルボード２１、２２で両側がパネル処理されている。２つのパネル２１、２２は１つの層に形成されている。これに加えて、図４に示す例示的な実施形態では、床は３つのさらなる層２３、２４、２５を有し、このさらなる層の最上層２５は、モジュールによって形成された部屋で見える床面を形成する。絶縁材１４、プロファイル８、パネル２１、２２、および層２３、２４、２５、ならびに場合によっては他の建造物要素はまた、遮音および／または防火を提供することができる。
【００８２】
モジュールの側壁は、例えば、図３による天井と同様に形成およびパネル処理されてもよい。
【００８３】
図５は、コーナプロファイルの形態で設計されており、かつ図１によるフレーム１を対象とする、本発明による支柱プロファイル２の断面を示す。
【００８４】
支柱プロファイル２は、シート状材料、好ましくは金属シート、好ましくは鋼板から形成されていることが分かる。断面が中空のプロファイル領域が形成されている。金属シートは、コーナ領域の材料の弱体化を避けるために、コーナ半径によって丸い形に曲げられるか、または角度が付けられている。
【００８５】
プロファイルの安定性をさらに高める目的で、追加の溶接接続が考えられ、いくつかの領域、特にそれぞれのプロファイルの継ぎ目領域で可能である。
【００８６】
一例として、図５に示す支柱プロファイル２の断面は、ほぼ正方形である。
【００８７】
安定性に関する理由で、断面がほぼダブテール形状であるスロットガイド２６が、支柱プロファイルの２つの外面に組み込まれている。図５に表すように、スロットガイド２６は、スロットガイド２６に導入および固定される接続要素５のために機能し、したがって、接続要素は、コーナを形成するために互いに対して直交して配向される。
【００８８】
図６は、図５による支柱プロファイル２で使用するための接続要素の斜視図を示す。
【００８９】
接続要素５は、平坦な接続プレートの形態で設計されており、一端において、支柱プロファイル２（図示せず）のスロットガイド２６の基部のスロットに掛止され得るフック２７を有する。接続要素５は、追加的に、締結穴２８を有し、それを通して、ねじまたは同様の締結手段は、接続要素５を天井プロファイル３または床プロファイル４の横材１２または１９にそれぞれ接続するために、案内され得る。
【００９０】
図面に示すプロファイル２、３、４は、接続要素５と共に、迅速、簡単、正確、および特にさらには安定な、支持機能を有する基本フレームワークの構築を提供する、取り扱いが容易な建造物要素のセットまたはモジュラ構造システムを形成し、かつモジュラ構造のためのモジュールを形成するために互いに組み合わされ得る。
【図１】
2020535331.tif 000003
【図２】
2020535331.tif 000004
【図３】
2020535331.tif 000005
【図４】
2020535331.tif 000006
【図５】
2020535331.tif 000007
【図６】
2020535331.tif 000008
【手続補正書】
【提出日】令和2年8月3日(2020.8.3)
【手続補正１】
【補正対象書類名】特許請求の範囲
【補正対象項目名】全文
【補正方法】変更
【補正の内容】
【特許請求の範囲】
【請求項１】
フレーム、特に、壁フレームであって、モジュラ構造のためのモジュールの基本フレームワークを好ましくは支持する、優先的には自己支持することを意図し、かつ２つの支柱プロファイル（２）を備え、前記支柱プロファイル（２）が本質的に垂直に配置され得るか、または本質的に垂直に配置され、前記支柱プロファイル（２）の上端が、天井プロファイル（３）を介して互いに接続され得るか、または接続され、前記支柱プロファイル（２）の下端が、床プロファイル（４）を介して互いに接続され得るか、または接続され、
前記支柱プロファイル（２）、前記天井プロファイル（３）、および前記床プロファイル（４）が各々、異なるように構成された断面プロファイルを有し、することを特徴とする、フレーム。
【請求項２】
前記断面プロファイルの各々が、本質的に、または特定の領域において、中空プロファイルの形態で設計されており、かつ／または
前記断面プロファイルの各々が、本質的に、金属シートが形成作業に供されることによって形成されている、請求項１に記載のフレーム。
【請求項３】
前記支柱プロファイル（２）が、少なくとも１つのスロットガイド（２６）を有し、前記少なくとも１つのスロットガイド（２６）が、前記支柱プロファイル（２）の長手方向の少なくとも一部分にわたって延在し、前記少なくとも１つのスロットガイド（２６）内に、天井プロファイル（３）および／または床プロファイル（４）の接続のための少なくとも１つの接続要素（５）が挿入および保持される、請求項１または２に記載のフレーム。
【請求項４】
前記支柱プロファイル（２）の前記断面プロファイルが、少なくとも１つの断面平面において、本質的に、矩形の、好ましくは本質的に正方形の輪郭を有し、前記断面平面の隣接する側面の輪郭のうちの２つに存在する凹部が、それぞれのスロットガイド（２６）の断面を形成する、請求項３に記載のフレーム。
【請求項５】
前記スロットガイド（２６）の断面が、ダブテール形状であり、かつ
前記接続要素（５）が形状適合方式で締結される、特に掛止されるように、前記スロットガイド（２６）が準備される、請求項３または４に記載のフレーム。
【請求項６】
前記、好ましくは各接続要素（５）が、本質的に垂直に配置される接続プレートの形態で本質的に設計されている、請求項３〜５のうちの１項に記載のフレーム。
【請求項７】
前記天井プロファイル（３）および前記床プロファイル（４）が各々、本質的に二重Ｔ字形状の断面プロファイルを有し、前記二重Ｔ字形状の断面プロファイルの横材（１２、１９）が、本質的に垂直な配置のために提供され、前記横材（１２、１９）の頂部および底部に存在する横方向端部が、前記二重Ｔ字形状を形成するために、厚くなったヘッド部分（１０、１７）および／または厚くなったフット部分（１１、１８）の形態で設計されており、前記床プロファイル（４）の前記断面プロファイルにおける厚くなったフット部分（１１、１８）が、好ましくは、前記天井プロファイル（３）の前記厚くなったフットの垂直範囲よりも大きい垂直範囲を有する、請求項１〜６のうちの１項に記載のフレーム。
【請求項８】
前記横材（１２、１９）の高さ、および／または前記厚くなったヘッド部分（１０、１７）の外面と前記厚くなったフット部分（１１、１８）の外面との間の距離が、少なくとも１つの側面上に、パネルまたは前記パネルの一部の少なくとも１つの層を有する、好ましくは絶縁された乾式壁構造（６、８、１４、１５、１６、２１、２２、２３、２４）のための空間として利用可能である、請求項７に記載のフレーム。
【請求項９】
少なくとも１つの乾式壁構造プロファイル（６、８）が前記横材（１２、１９）に対してほぼ直角に形状適合方式で挿入されるように、前記厚くなったヘッド部分（１０、１７）、前記厚くなったフット部分（１１、１８）、および前記横材（１２、１９）によって境界されており、かつ断面プロファイルが本質的にＵ字形状である、自由空間が、マウント（１３、２０）の形態で提供される、請求項８に記載のフレーム。
【請求項１０】
モジュラ構造のためのモジュールの基本フレームワークであって、
前記フレームワークが、請求項１〜９のうちの１項以上に記載のフレーム（１）の２つを備え、それぞれの前記支柱プロファイル（２）が、コーナプロファイルの形態で設計されており、前記２つの前記フレーム（１）が、互いに対して平行に配置され、第１のフレームの前記コーナプロファイルが、天井プロファイル（３）および床プロファイル（４）をそれぞれ介して第２のフレームの前記コーナプロファイルに接続されていることを特徴とする、基本フレームワーク。
【請求項１１】
少なくとも２つの部屋を有する、および／または２つ以上の基本フレームワークで作製された少なくとも１つの大きい部屋を有する建物の基本フレームワークを実現するために、構築ブロックを構成する少なくとも２つの基本フレームワークが、互いに上下に、互いに左右に、および／または互いに前後に接続され得る、請求項１０に記載の基本フレームワーク。
【請求項１２】
モジュラ構造のためのモジュールであって、
請求項１〜９のうちの１項以上に記載のフレーム（１）の少なくとも１つによって、および／または請求項１０または１１に記載の基本フレームワークの少なくとも１つによって特徴付けられ、
フレーム（１）および／または基本フレームワークによって画定された表面のうちの少なくとも１つを閉鎖および／または充填するための、少なくとも１つの乾式壁構造（６、８、１４、１５、１６、２１、２２、２３、２４）を備える、モジュール。
【請求項１３】
フレーム（１）および／または基本フレームワークによって画定される表面のうちの少なくとも１つを閉鎖および／または充填するための乾式壁構造（６、８、１４、１５、１６、２１、２２、２３、２４）の少なくとも１つの乾式壁構造プロファイル（６、８）を備え、
前記少なくとも１つの乾式壁構造プロファイル（６、８）が、そのそれぞれの端部を、２つの相互に反対の、本質的に平行な天井プロファイル（３）または床プロファイル（４）に対して本質的に直交して、形状適合方式で、マウント（１３、２０）に挿入および装着され、前記マウントは、断面プロファイルがほぼＵ字形状であり、かつ前記天井プロファイル（３）または前記床プロファイル（４）に属する、請求項１２に記載のモジュール。
【請求項１４】
好ましくは、モジュラ構造のためのモジュールの基本フレームワークのために、負荷に供され得る、プロファイル、特に、支持プロファイルであって、
ほぼ垂直に配置され得る支柱プロファイル（２）の形態で設計されており、前記支柱プロファイル（２）が、前記支柱プロファイル（２）の長手方向の少なくとも一部分にわたって延在する少なくとも１つのスロットガイド（２６）を有し、前記少なくとも１つのスロットガイド（２６）の中に、天井プロファイル（３）および／または床プロファイル（４）の接続のための少なくとも１つの接続要素（５）が挿入および保持され得る、ことを特徴とする、プロファイル。
【請求項１５】
プロファイル、特に、支持プロファイルであって、好ましくは、モジュラ構造のためのモジュールの基本フレームワークのために、負荷に供され得るプロファイルであって、
前記プロファイル（３、４）は、２つの支柱プロファイル（２）を互いにほぼ水平に接続して配置され得るプロファイル（３、４）の形態で設計されており、前記プロファイル（３、４）が本質的に二重Ｔ字形状の断面プロファイルを有し、前記二重Ｔ字形状の断面プロファイルの横材（１２、１９）がほぼ垂直な配置に提供され、前記横材（１２、１９）の上下に存在する横方向端部が、二重Ｔ字形状を形成するために、厚くなったヘッド部分（１０、１７）および／または厚くなったフット部分（１１、１８）の形態で設計されている、プロファイル。
【請求項１６】
モジュラ構造のためのモジュールの基本フレームワークを好ましくは支持する、優先的には自己支持することを意図され、かつ２つの支柱プロファイル（２）を備え、前記支柱プロファイル（２）が本質的に垂直に配置され得るか、または垂直に配置され、前記支柱プロファイル（２）の上端が、天井プロファイル（３）を介して互いに接続され得るか、または接続され、前記支柱プロファイル（２）の下端が、床プロファイル（４）を介して互いに接続され得るか、または接続される、建造物要素のセットであって、
少なくとも１つのプロファイル（２、３、４）によって特徴付けられる建造物要素のセット。
【国際調査報告】
2020535331.tif 000009
2020535331.tif 000010
2020535331.tif 000011